(57)【要約】【課題】通常の目視では見えず、特定の部材と組み合わせることで潜像を表示でき、偽造や改竄、贋造が困難で高いセキュリティ性が得られる偽造防止媒体、表示方法およびその作製方法を提供する。【解決手段】基材上に、互いに異なる干渉色を呈する光輝性顔料を含む複数の光輝性パターン１１、１２，１３を組み合わせて白色を呈する様に構成されたセルパターンＡ１と、複数の光輝性パターンを異なる配置として白色を呈する様に構成されたセルパターンＢ２とが、一定ピッチで配列されて所定の文字、記号からなる潜像パターンが形成されたセキュリティパターンが設けられてなる。【選択図】図１
2020100061.tif 000002
【特許請求の範囲】
【請求項１】
基材上に、互いに異なる干渉色を呈する光輝性顔料を含む複数の光輝性パターンを組み合わせて白色を呈する様に構成されたセルパターンＡと、前記複数の光輝性パターンを異なる配置として白色を呈する様に構成されたセルパターンＢとが、一定ピッチで配列されて所定の文字、記号からなる潜像パターンが形成されたセキュリティパターンが設けられたことを特徴とする偽造防止媒体。
【請求項２】
前記複数の光輝性パターンの干渉色が、それぞれ加色混合の３原色であるＲ、Ｇ、Ｂの３色であることを特徴とする請求項１に記載の偽造防止媒体。
【請求項３】
請求項１または２に記載の偽造防止媒体に設けられたセキュリティパターンに、セルパターンＡおよびセルパターンＢと同一の一定ピッチで凸レンズが２次元に配列された凸レンズアレイを重ね、セルパターンＡおよびセルパターンＢの複数の光輝性パターンのうちのいずれかの光輝性パターンに前記凸レンズの焦点を合わせ、焦点が合わされた光輝性パターンの干渉色が目視されるように表示することを特徴とする表示方法。
【請求項４】
耐熱性フィルム上に、互いに異なる干渉色を呈する光輝性顔料を含む複数の熱転写インキ層を面順次に設けた熱転写インキリボンから、互いに異なる干渉色を呈する光輝性顔料を含む複数の光輝性パターンを組み合わせて白色を呈する様に構成されたセルパターンＡと、前記複数の光輝性パターンを異なる配置として白色を呈する様に構成されたセルパターンＢとを、所定の文字、記号を構成する様に一定ピッチで配列させて熱転写し、所定の文字、記号を潜像パターンとして形成することを特徴とする偽造防止媒体の作製方法。
【発明の詳細な説明】
【技術分野】
【０００１】
本発明は、有価証券やブランド品が真正品であるか否か、またパスポートやＩＤカードに代表される個人認証媒体などが正規なものであるか否か、といった真贋判定を容易にし、偽造防止効果を高める偽造防止媒体、表示方法およびその作製方法に関する。
【背景技術】
【０００２】
従来、文字や絵柄が種々の方法で印刷された印刷物、特に、パスポートやＩＤカード等の個人認証媒体はじめ、クレジットカード、通帳などセキュリティ性を求められる情報記録体に、セキュリティ性や意匠性を付与するために特殊な視覚効果を有する画像を設けることが行われ、偽造、改竄や贋造の防止、真正性の証明などの効果があるとされている。
【０００３】
特殊な視覚効果を有する画像を設ける手法としては、例えば特許文献１には、蛍光インキを用いて潜像画像を形成する手法が、特許文献２には、回折格子と光散乱パターンを組み合わせたパターンを形成する手法が、また特許文献３には、干渉光を射出するパール顔料を含む熱転写インキにより画像を形成する方法が、それぞれ開示されている。
【０００４】
特許文献１の蛍光インキによる潜像は、オフセット等の従来の印刷技術を用いて、蛍光物質を含む無色の蛍光インキをカードに印刷し、潜像を形成するものであるが、この方法ではカードに共通の潜像画像を設けるには適しており、カード基材が本物かどうかの識別には良いが、発行されたカードの表示内容が本物かどうかの判別できる様にするためには、カードごとに印刷版を作成する必要があり、現実的でなかった。
【０００５】
また特許文献２には、回折格子パターンと光散乱パターンを形成したディスプレイが開示され、観察角度により色彩が変化する効果により偽造防止効果が得られるとしている。しかし一般的にホログラムの転写箔は高コストであり、また媒体上に形成するには通常の印刷とは別の工程（ホットスタンプなど）が必要で手間がかかり、また一見すると広く出回っている入手が容易な通常のホログラムなどと似ていて、専門的な技術者以外には目視による真偽判定が難しいという課題もあった。
【０００６】
また特許文献３には、パール顔料を使用して第２画像を形成する印刷方法が開示されているが、パール顔料（光輝性顔料）は各種の化粧箱や包装紙などに使用されており、一般に入手が容易であり、簡単なパターンであれば容易に複製され易いという問題点があった。
【先行技術文献】
【特許文献】
【０００７】
【特許文献１】登録実用新案第３０２９２７３号公報
【特許文献２】特許第４７５２８０８号公報
【特許文献２】特開２００４−１４２４４５号公報
【発明の概要】
【発明が解決しようとする課題】
【０００８】
本発明は、光輝性顔料（パール顔料）を含むインキにより潜像が設けられた偽造防止媒体を提供するもので、通常の目視では見えず、特定の部材と組み合わせることで潜像を表示でき、かつ表示される画像の色を変化させることができ、偽造や改竄、贋造が困難で高いセキュリティ性が得られる偽造防止媒体、その表示方法および作製方法を提供することを課題とする。
【課題を解決するための手段】
【０００９】
上記課題を解決するため、本発明の請求項１に係る発明は、
基材上に、互いに異なる干渉色を呈する光輝性顔料を含む複数の光輝性パターンを組み合わせて白色を呈する様に構成されたセルパターンＡと、前記複数の光輝性パターンを異なる配置として白色を呈する様に構成されたセルパターンＢとが、一定ピッチで配列されて所定の文字、記号からなる潜像パターンが形成されたセキュリティパターンが設けられたことを特徴とする偽造防止媒体である。
【００１０】
また、本発明の請求項２に係る発明は、
前記複数の光輝性パターンの干渉色が、それぞれ加色混合の３原色であるＲ、Ｇ、Ｂの３色であることを特徴とする請求項１に記載の偽造防止媒体である。
【００１１】
また、本発明の請求項３に係る発明は、
請求項１または２に記載の偽造防止媒体に設けられたセキュリティパターンに、セルパターンＡおよびセルパターンＢと同一の一定ピッチで凸レンズが２次元に配列された凸レンズアレイを重ね、セルパターンＡおよびセルパターンＢの複数の光輝性パターンのうちのいずれかの光輝性パターンに前記凸レンズの焦点を合わせ、焦点が合わされた光輝性パターンの干渉色が目視されるように表示することを特徴とする表示方法である。
【００１２】
また、本発明の請求項４に係る発明は、
耐熱性フィルム上に、互いに異なる干渉色を呈する光輝性顔料を含む複数の熱転写インキ層を面順次に設けた熱転写インキリボンから、互いに異なる干渉色を呈する光輝性顔料を含む複数の光輝性パターンを組み合わせて白色を呈する様に構成されたセルパターンＡと、前記複数の光輝性パターンを異なる配置として白色を呈する様に構成されたセルパターンＢとを、所定の文字、記号を構成する様に一定ピッチで配列させて熱転写し、所定の文字、記号を潜像パターンとして形成することを特徴とする偽造防止媒体の作製方法である。
【発明の効果】
【００１３】
本発明の請求項１に記載の発明によれば、セルパターンＡとセルパターンＢが所定の文字、記号を形成する様に組み合わされて一定ピッチで配列され、通常目視した場合は共に白色を呈するため所定の文字、記号は潜像として形成されており、所定の器具（凸レンズアレイ）を用いることで所定の文字、記号を浮かび上がらせることができるセキュリティパターンとすることができ、一方通常の目視では所定の文字、記号が形成されていること自体を視認することができず、改竄しようとする契機を与えず、セルパターンＡとセルパターンＢを微細なパターンとすることで偽造、贋造を抑制することができる偽造防止媒体を提供できる。
【００１４】
また請求項２に記載の発明によれば、複数の光輝性パターンの干渉色を加色混合の３原色であるＲ、Ｇ、Ｂの３色とすることで、セルパターンＡとセルパターンＢが良好に白色に視認されるようにすることができる。
【００１５】
また請求項３に記載の発明によれば、請求項１または２に記載の偽造防止媒体においてセルパターンＡとセルパターンＢにより潜像として記録された文字や記号を、凸レンズアレイにより特性の光輝性パターン部分のみを拡大表示することにより、特定の光輝性パターンの色のみが見えるようになり、潜像として設けられたセルパターンを顕像として視認可能となり、媒体が真正品か否かを容易に判定できる。
【００１６】
また請求項４に記載の発明によれば、既存の熱転写プリンタを用いて、セルパターンＡ
とセルパターンＢを媒体上に熱転写記録することができ、任意の文字、記号のパターンを潜像として形成した偽造防止媒体を容易に作製することができる。
【図面の簡単な説明】
【００１７】
【図１】各種セルパターンの形態例を示す図である。
【図２】セルパターンＡとセルパターンＢで形成された潜像の例を示す図である。
【図３】セルパターンＡとセルパターンＢで形成された潜像形成部の見え方を例示する図である。
【図４】凸レンズアレイの形態例の平面図と断面図である。
【図５】セルパターンＡとセルパターンＢで形成された潜像形成部に凸レンズアレイを重ねた状態の平面図である。
【図６】各セルパターンに凸レンズアレイを重ねたときの見え方の模式図である。
【図７】本発明の偽造防止媒体の一形態例を平面視した図である。
【図８】熱転写インキリボンの例を示す図である。
【図９】間接熱転写プリンタの一例の概略構成図である。
【発明を実施するための形態】
【００１８】
以下、本発明の実施の形態を、図面を参照しながら詳細に説明する。なお本発明は以下に説明する実施形態に限定されるものではない。また、同等の部材等には同一の符号を付し、説明を省略することがある。
【００１９】
本発明の偽造防止媒体に設けられるセルパターンについて説明する。図１（ａ）は、異なる干渉色を呈する光輝性顔料をそれぞれ含む３種類の等面積の光輝性パターン１１、１２、１３を組み合わせて形成したセルパターンＡ１と、光輝性パターンの配置を変えたセルパターンＢ２の形態例を示す図である。
【００２０】
ここで、各光輝性パターンは加色混合の３原色を干渉色とする光輝性顔料をそれぞれ含んだものとすることができる。すなわち光輝性パターン１１がＲ（赤）の干渉色を呈する光輝性顔料を含み、光輝性パターン１２がＧ（緑）の干渉色を呈する光輝性顔料を含み、光輝性パターン１３がＢ（青）の干渉色を呈する光輝性顔料を含んだものとしている。
【００２１】
光輝性顔料としては、既存のものから適宜選択して用いることができ、例えば合成マイカの表面を金属酸化物で被覆したもの（例えば日本光研工業製アルティミカ（商品名））や、天然マイカの表面を金属酸化物で被覆したもの（例えば日本光研工業製パールグレイズ（商品名））が例示できるが、これらに限定されない。
【００２２】
セルパターンＡ１にはＲＧＢの干渉色が等面積で表示され、かつ、セルパターンＡ１が十分小さい場合は３種類の光輝性パターンを見分けることができない様にすることができ、セルパターンＡ１は全体として白色を呈する様に目視される。これは光輝性パターンの配置を変えたセルパターンＢ２も同様である。
【００２３】
セルパターンは、図１（ｂ）のように２種類の等面積の光輝性パターン１４、１５を組み合わせた構成のセルパターンＣ３、および光輝性パターン１６、１７のように配置を変えたセルパターンＤ４の組合せとすることもできる。その際は例えばセルパターンＣにおいて、光輝性パターン１４、１５の干渉色が互いに補色の関係となる様にすれば、セルパターンＣ３を十分小さなものとしたとき、セルパターンＣ３は全体として白色を呈する様に目視される。これは光輝性パターンの配置を変えたセルパターンＤ４も同様である。
【００２４】
このセルパターンＡ１、セルパターンＢ２を組み合わせて適宜文字、記号等のパターン（ここでは文字「ＯＫ」）を形成する様に配置し、セルマトリクスを形成した例を図２に
示す。実際にセルマトリクス２０を通常目視する状態で見ると、セルパターンＡ１および太枠で囲ったセルパターンＢ２は共にほぼ均一で白色を呈するため、特にパターンが浮かび上がって見えることはない。図２にセルパターンＢ２を太枠で囲ったのは単に説明の便宜のためである。
【００２５】
図２では説明の分かりやすさのためセルマトリクス２０を大きく表示しているが、セルパターンＡ１およびセルパターンＢ２の面積が充分小さい場合、通常の目視では各色の光輝性パターンの干渉色は判別できず、ＲＧＢ各色の光輝性パターンの面積が同じであることからセルパターンＡ１およびセルパターンＢ２は全体として白色に見える。またセルパターンＡ１およびセルパターンＢ２の光輝性パターンの配置の違いも見分けることもできない。その結果、通常の目視では「ＯＫ」の文字パターンは潜像となり、セルマトリクス２０の部分はほぼ均一な白色に見えることになる。ここで面積が充分小さい、とは、一辺の長さが０．２５〜１ｍｍ以下であることを指す。
【００２６】
本発明の偽造防止媒体に設けるセキュリティパターンの例を図３に示す。セキュリティパターン３０は、中央部分にセルマトリクス２０と同様のセルパターンＡ１とセルパターンＢ２を組み合わせたセルマトリクス３３が形成され、周縁を通常の画像３１が取り巻いている。通常の画像３１の形成方法は特に限定されず、通常の印刷のほか、ホログラムなどの光学素子、通常のパール印刷などでも良く、あるいは公知の熱転写インキリボンを用いて、シアン（Ｃ）、マゼンタ（Ｍ）、イエロー（Ｙ）の３色の通常の熱転写インキを転写して形成しても良い。
【００２７】
セルパターンＡ１とセルパターンＢ２が形成されたセキュリティパターン３０を通常状態で目視したのが図３（ａ）であり、中央部分３２には潜像として図３（ｂ）に示すような文字パターン（「ＯＫ」）がセルマトリクス３３に形成されているが、形成されているパターンは目視されず、ほぼ均一な白色に見える。
【００２８】
図３のセルマトリクス３３を視認できるようにするには、図４に示したようなハエの目状の凸レンズアレイ４０を用いる。凸レンズアレイ４０は、図４（ｂ）に示した直線ＹＹ´での断面図からも分かる様に、透明基板部４２上に凸レンズ４１が等ピッチで２次元に配列されたもので、そのピッチがセルマトリクス３３のピッチと同じとなっている。この凸レンズアレイ４０を、中央部分にセルマトリクス３３を形成したセキュリティパターン３０に重ねると、図５に示すようにセルパターンＢ２の部分は光輝性パターン１３の干渉色のみが見え、セルパターンＡ１の部分は光輝性パターン１２の干渉色のみが見える様にすることができ、互いに異なる色が見えるため通常の目視では潜像となっている文字パターン「ＯＫ」を視認できる。
【００２９】
これは、図６（ａ）に模式的に示す様に、凸レンズ４１の焦点をセルパターンＡ１の光輝性パターン１２に合わせると、セルパターンＢ２では、光輝性パターンの配置が異なるため、凸レンズ４１の焦点が異なる光輝性パターン１３に合うことになり、互いに異なる干渉色が凸レンズにより拡大されて見えるため、セルパターンＡ１の部位とセルパターンＢ２の部位とで異なる色が視認され、セルパターンＢ２で形成された潜像（「ＯＫ」）が顕像として見えるようになるものである。
【００３０】
この様な効果は、セルパターンＣ３、Ｄ４のように２種類の光輝性パターンを組み合わせたセルパターンでも同様に得られることは明らかである。
【００３１】
また、図６（ｂ）に示す様に凸レンズアレイ４０を黒矢印方向に移動させると、焦点がセルパターンＡ１では光輝性パターン１３に、セルパターンＢ２では光輝性パターン１１に合うことになり、図６（ａ）の場合とは異なった干渉色により文字パターン「ＯＫ」を
視認できるという別の効果を呈する。
【００３２】
図３に示すセキュリティパターン３０と同様のものをセキュリティパターンとして記録媒体表面に設けて偽造防止媒体とした例が図７である。偽造防止媒体７０はカード状の媒体であり、表面に通常の顔画像７２や文字７３が形成され、別の部位にセキュリティパターン３０と同等のセキュリティパターン７１が形成されている。セキュリティパターン７１の中央部は、通常の目視では図７（ａ）のようにほぼ均一な干渉色となり特にパターン等は見えないが、図７（ｂ）の様に凸レンズアレイ４０を重ねることで、表示画像（ここでは、「１２３」）が浮かび上がって見える態様となる。顔画像７２や文字７３は、通常の印刷等の手法で形成しても良いが、熱転写インキリボンを用いてシアン（Ｃ）、マゼンタ（Ｍ）、イエロー（Ｙ）の３色の通常の熱転写インキを転写して形成することもできる。
【００３３】
この結果、偽造防止媒体７０は、通常目視した場合はセキュリティパターンの部位には特段の画像や文字などの表示画像は見えないが、凸レンズアレイ４０を重ね合わせることで各セルパターンを構成するうちの特定の光輝性パターンの色が見えるようになり、表示画像が現れるという特徴的な表示効果を有することになり、偽造、贋造防止効果が高まりセキュリティ性が向上した記録体とすることができる。
【００３４】
また、偽造防止媒体７０表面に、照合文字７４を記録して、その一部が潜像として形成された表示画像（「１２３」）と同じになる様にして、互いに照合することで真正性を確認できるようにすることもできる。
【００３５】
偽造防止媒体７０の構成は特に限定するものではないが、例えば基材の材質として、天然の紙および合成紙などの紙、ポリエチレンテレフタレート樹脂（ＰＥＴ）、ポリ塩化ビニル樹脂（ＰＶＣ）、熱硬化性ポリエステル樹脂、ポリカーボネート樹脂、ポリメタクリル樹脂およびポリスチレン樹脂などの合成樹脂、ガラス、陶器および磁器などのセラミックス、または、単体金属および合金などの金属材料であってもよい。
【００３６】
セルパターンＡ、セルパターンＢを形成する方法は特に限定されず、通常のグラビア印刷、オフセット印刷等の印刷手法により設けることができるが、図８に例示するような熱転写インキリボン８０を用いて熱転写方式により形成することもできる。熱転写インキリボン８０は、基材フィルム８１の一方の面に、シアン（Ｃ）、マゼンタ（Ｍ）、イエロー（Ｙ）の３色の通常の熱転写インキ層が面順次に設けられて構成され、さらにそれぞれ異なる光輝性顔料を含む熱転写インキ層（Ｐ１）、（Ｐ２）、（Ｐ３）が面順次に設けられている。
【００３７】
ここで例えば熱転写インキ層（Ｐ１）がＲ（赤）の干渉色を呈する光輝性顔料を含み、、熱転写インキ層（Ｐ２）がＧ（緑）の干渉色を呈する光輝性顔料を含み、熱転写インキ層（Ｐ３）がＢ（青）の干渉色を呈する光輝性顔料を含んだものとすれば、図１に例示したようなセルパターンＡ１、セルパターンＢ２を熱転写記録方式で記録媒体上に形成することができる。
【００３８】
熱転写記録方式を採用すれば、潜像の文字、記号等のパターンを変更したり、記録媒体ごとに異なったものとするのが容易に行え、より偽造防止効果を高めることができる。また、同一の基材フィルムにすべての熱転写インキ層が設けられ、単一の熱転写インキリボン８０とすることができ、取り扱いが容易であり、プリンタの構成も複雑にならず、既存の熱転写プリンタを活用できる。
【００３９】
また熱転写インキリボン８０には、必要に応じ、墨（Ｂｋ）のインキ層を設けても良く
、また基材フィルムと熱転写インキ層の間に剥離層を、基材フィルムの他方の面、すなわちサーマルヘッドに当接する面に耐熱バックコート層を、それぞれ設けても良い。またプリンタとして間接熱転写方式のプリンタを用いる際には、再転写時に記録媒体に接着させるための接着層がさらに設けられても良い。また各熱転写インキ層の位置を検出するためのセンサマークを設けることは公知であり、適宜採用できる。
【００４０】
シアン（Ｃ）、マゼンタ（Ｍ），イエロー（Ｙ）のインキ層に用いられる顔料としては、公知の種々の顔料を用いることができる。具体的には、フタルイミド系イエロー、ベンズイミダゾロンオレンジ、スルホアミドイエロー、ベンズイミダゾロンイエロー等のアゾ染料、フタロシアニン顔料、ジケトピロロピロール、キノフタノン、イソインドリノン、ジアミノジアントラキノンなどが例示できるが、これらに限定されない。
【００４１】
基材フィルム８１は、例えばポリエチレンテレフタレート（ＰＥＴ）、ポリプロピレン（ＰＰ）、ポリカーボネート（ＰＣ）、ポリメチルメタクリレート（ＰＭＭＡ）、ポリエチレン（ＰＥ）等のプラスチックシートが好適に用いられる。基材フィルム８１の厚さは、一般的に１〜１００μｍ程度であるが、転写性を向上させるために薄い方が良く、特に１〜１０μｍ程度であることがより好ましい。
【００４２】
なお、熱転写記録方式の場合、記録媒体に直接画像を転写する直接転写記録方式と、一旦中間転写媒体に転写記録した画像を記録媒体に再転写する間接転写記録方式があるが、どちらを採用しても良い。図９は、熱転写インキリボン８０を用いて記録媒体にセルパターンを記録する間接熱転写方式のプリンタの構成例の概略図を示している。
【００４３】
プリンタ９０は、サーマルヘッド９２とプラテンローラ９３を主要部材として構成される一次転写部と、ヒートローラ９４で記録媒体９５に再転写を行う二次転写部からなる。一次転写部で、サーマルヘッド９２により熱転写インキリボン８０から中間転写媒体９１に各セルパターンやその他の記録画像等の一次転写が行われ、次いで二次転写部でヒートローラ９４により記録媒体９５上に二次転写が行われ、本発明の偽造防止媒体が形成できる。
【００４４】
中間転写媒体９１としては、ポリエチレンテレフタレートのような樹脂のフィルムを用いることができ、さらに剥離層および受像層をこの順序で形成して積層体として用いることもできる。受像層の材料は、例えばプロプロピレン樹脂、ポリエチレンテレフタレート樹脂、ポリアセタール樹脂、ポリエステル樹脂等の熱可塑性樹脂等を挙げることができる。
【００４５】
以上説明したように、本発明の偽造防止媒体は、異なる光輝性顔料を含む光輝性パターンを組み合わせたセルパターンにより通常の目視では見えない潜像が記録され、これに凸レンズアレイを重ねることで潜像として形成された所定のパターンが浮かび上がって見えるという特有の視覚効果を有し、偽造が困難であるばかりでなく、潜像は通常の状態では視認出来ず、潜像が設けられていること自体が容易には分からない態様とすることができ、偽造や改ざんを誘発する契機をさらに小さくすることができ、高い偽造防止効果が得られる。
【符号の説明】
【００４６】
１・・・セルパターンＡ
２・・・セルパターンＢ
３・・・セルパターンＣ
４・・・セルパターンＤ
１１、１２、１３、１４、１５、１６、１７・・・光輝性パターン
２０、３３・・・セルマトリクス
３０、７１・・・セキュリティパターン
３１・・・通常の印刷
３２・・・中央部分
４０・・・凸レンズアレイ
４１・・・凸レンズ
４２・・・透明基板部
７０・・・偽造防止媒体
７２・・・顔画像
７３・・・文字
７４・・・照合文字
８０・・・熱転写インキリボン
８１・・・基材フィルム
９０・・・プリンタ
【図１】
2020100061.tif 000003
【図２】
2020100061.tif 000004
【図３】
2020100061.tif 000005
【図４】
2020100061.tif 000006
【図５】
2020100061.tif 000007
【図６】
2020100061.tif 000008
【図７】
2020100061.tif 000009
【図８】
2020100061.tif 000010
【図９】
2020100061.tif 000011